(57)【特許請求の範囲】
【請求項１】
過去の音源信号を蓄積する蓄積手段と、
ピッチラグに基づいて選択した過去の音源信号を出力する適応符号帳と、
雑音信号を出力する雑音符号帳と、
前記適応符号帳から出力された音源信号と前記雑音符号帳から出力された雑音信号とを加算する加算手段と、
第ｎフレーム（ｎは自然数）が消失した場合に、第ｎ−１フレームの音源信号とピッチ情報を用いて、前記第ｎ−１フレームの音源信号において非周期性パルス波形が存在する区間を検出する検出手段と、
前記加算手段から出力された第ｎ−１フレームの信号の前記非周期性パルス波形が存在する区間において、前記非周期性パルス波形を抑圧する抑圧手段と、
前記非周期性パルス波形が抑圧された前記第ｎ−１フレームの信号に対して合成フィルタによる合成を行って前記第ｎフレームの復号音声を得る合成手段と、
を具備する音声復号装置。
【請求項２】
前記検出手段は、前記第ｎ−１フレームにおいて、音源信号の最大自己相関値が閾値未満であり、かつ、音源振幅の第１最大値と第２最大値との差または比が閾値以上である場合に、前記第１最大値が存在する区間を前記非周期性パルス波形が存在する区間として検出する、
請求項１記載の音声復号装置。
【請求項３】
前記抑圧手段は、前記第ｎ−１フレームにおいて、前記非周期性パルス波形を雑音信号で置換して前記非周期性パルス波形を抑圧する、
請求項１記載の音声復号装置。
【請求項４】
前記抑圧手段は、前記第ｎ−１フレームにおいて、前記非周期性パルス波形が存在する区間以外にある音源信号の位相をランダムにして前記非周期性パルス波形を抑圧する、
請求項１記載の音声復号装置。
【請求項５】
ピッチラグに基づいて選択された過去の音源信号と雑音信号とを加算する加算工程と、
第ｎフレーム（ｎは自然数）が消失した場合に、第ｎ−１フレームの音源信号とピッチ情報を用いて、前記第ｎ−１フレームの音源信号において非周期性パルス波形が存在する区間を検出する検出工程と、
前記加算工程で生成された第ｎ−１フレームの信号の前記非周期性パルス波形が存在する区間において、前記非周期性パルス波形を抑圧する抑圧工程と、
前記非周期性パルス波形が抑圧された前記第ｎ−１フレームの信号に対して合成フィルタによる合成を行って前記第ｎフレームの復号音声を得る合成工程と、
を具備する音声復号方法。
【発明の詳細な説明】
【技術分野】
【０００１】
本発明は、音声復号装置および音声復号方法に関する。
【背景技術】
【０００２】
近年、ＶｏＩＰ（Voice over IP）に代表されるベストエフォート型の音声通信が一般的になってきた。このような音声通信では、一般に伝送帯域は保証されないため、一部のフレームが伝送途中で損失し、音声復号装置では、符号化データの一部が受信できず欠落する可能性がある。例えば、輻輳等によって通信路のトラヒックが飽和すると、伝送途中で一部のフレームが破棄されて符号化データが失われる。このようなフレーム損失が発生した場合でも、音声復号装置では、そのフレーム損失により生じた無音部分を聴覚的に違和感の少ない音声で埋めて補償（隠蔽）する必要がある。
【０００３】
フレーム損失補償の従来技術としては、有音フレームと無音フレームとで損失補償処理を切り替えるものがある（例えば、特許文献１参照）。この従来技術では、損失したフレームが有音フレームのときは、その損失フレームの直前のフレームのパラメータを繰り返し用いるようなフレーム損失補償処理がなされる。一方、損失したフレームが無音フレームのときは、雑音符号帳からの音源信号に雑音信号を付加したり、雑音符号帳からの音源信号をランダムに選択するようなフレーム損失補償処理がなされ、波形形状が同じ音源信号が連続して用いられることによる聴覚的に違和感の強い復号音声の発生を抑えている。
【特許文献１】特開平１０−９１１９４号公報
【発明の開示】
【発明が解決しようとする課題】
【０００４】
しかし、有音フレームの損失に対する上記従来技術のフレーム損失補償では、図１に示すように、損失したフレーム（第ｎフレーム）の直前のフレーム（第ｎ−１フレーム）に破裂性子音(例えば、‘ｐ’,‘ｋ’,‘ｔ’)のような立ち上がり部分の振幅が非常に大きい子音が存在する区間があると、フレーム損失補償にその部分が繰り返し用いられることで、フレーム損失補償されたフレーム（第ｎフレーム）において、大きなビープ音等、聴覚的に違和感の強い復号音声が発生してしまう。破裂性子音の他、背景雑音等、損失したフレームの直前のフレームに、突発的かつ局所的に大きな振幅を持つ音声が存在する区間があると、同様に聴覚的に違和感の強い復号音声が発生してしまう。
【０００５】
また、無音フレームの損失に対する上記従来技術のフレーム損失補償では、図２に示すように、直前のフレーム（第ｎ−１フレーム）の音声とは特性が異なる雑音信号により損失フレーム（第ｎフレーム）全体が補償されるため、復号音声の明瞭度が低下し、フレーム全体として聴覚的にノイズが目立つ復号音声となってしまう。
【０００６】
このように、上記従来技術のフレーム損失補償には、復号音声に聴覚的な劣化が生じることがあるという問題がある。
【０００７】
本発明の目的は、聴覚的に自然で、かつ、ノイズが目立たない復号音声が得られるフレーム損失補償を行うことができる音声復号装置および音声復号方法を提供することである。
【課題を解決するための手段】
【０００８】
本発明の音声復号装置は、過去の音源信号を蓄積する蓄積手段と、ピッチラグに基づいて選択した過去の音源信号を出力する適応符号帳と、雑音信号を出力する雑音符号帳と、前記適応符号帳から出力された音源信号と前記雑音符号帳から出力された雑音信号とを加算する加算手段と、第ｎフレーム（ｎは自然数）が消失した場合に、第ｎ−１フレームの音源信号とピッチ情報を用いて、前記第ｎ−１フレームの音源信号において非周期性パルス波形が存在する区間を検出する検出手段と、前記加算手段から出力された第ｎ−１フレームの信号の前記非周期性パルス波形が存在する区間において、前記非周期性パルス波形を抑圧する抑圧手段と、前記非周期性パルス波形が抑圧された前記第ｎ−１フレームの信号に対して合成フィルタによる合成を行って前記第ｎフレームの復号音声を得る合成手段と、を具備する構成を採る。
【発明の効果】
【０００９】
本発明によれば、聴覚的に自然で、かつ、ノイズが目立たない復号音声が得られるフレーム損失補償を行うことができる。
【発明を実施するための最良の形態】
【００１０】
以下、本発明の実施の形態について、添付図面を参照して説明する。
【００１１】
（実施の形態１）
図３は、本発明の実施の形態１に係る音声復号装置１０の構成を示すブロック図である。以下、伝送途中で第ｎフレームが損失し、第ｎフレームの直前の第ｎ−１フレームを用いて第ｎフレームの損失を補償（隠蔽）する場合を例にとって説明する。つまり、損失した第ｎフレームの復号の際に、第ｎ−１フレームの音源信号をピッチ周期で繰り返し用いる場合について説明する。
【００１２】
本実施の形態に係る音声復号装置１０は、第ｎ−１フレームに、周期的に繰り返されることがない、すなわち、非周期的で、かつ、局所的に振幅が大きい波形（以下「非周期性パルス波形」という）が存在する区間（以下「非周期性パルス波形区間」という）がある場合、第ｎ−１フレームのうち非周期性パルス波形区間の音源信号のみを雑音信号で置換して非周期性パルス波形を抑圧するものである。
【００１３】
図３において、ＬＰＣ復号部１１は、線形予測係数（ＬＰＣ）の符号化データを復号して、復号した線形予測係数を出力する。
【００１４】
適応符号帳１２は、過去の音源信号を蓄積しており、ピッチラグに基づいて選択した過去の音源信号をピッチゲイン乗算部１３に出力するとともに、ピッチ情報を非周期性パルス波形検出部１９に出力する。適応符号帳１２が蓄積する過去の音源信号は、非周期性パルス波形抑圧部１７での処理がなされた後の音源信号である。なお、適応符号帳１２は、非周期性パルス波形抑圧部１７での処理がなされる前の音源信号を蓄積してもよい。
【００１５】
雑音符号帳１４は、適応符号帳１２では表現しきれない雑音的な信号成分を表現するための信号（雑音信号）を生成して出力する。雑音符号帳１４での雑音信号は、パルスの位置や振幅を代数的に表現されたものが用いられることが多い。雑音符号帳１４は、パルスの位置や振幅に関するインデックス情報に基づき、パルスの位置や振幅を決定することで雑音信号を生成する。
【００１６】
ピッチゲイン乗算部１３は、適応符号帳１２から入力された音源信号にピッチゲインを乗じ、乗算結果を出力する。
【００１７】
コードゲイン乗算部１５は、雑音符号帳１４から入力された雑音信号にコードゲインを乗じ、乗算結果を出力する。
【００１８】
加算部１６は、ピッチゲイン乗算後の音源信号とコードゲイン乗算後の雑音信号とを加算した音源信号を出力する。
【００１９】
非周期性パルス波形抑圧部１７は、第ｎ−１フレームのうち非周期性パルス波形区間にある音源信号を雑音信号で置換することにより非周期性パルス波形を抑圧する。非周期性パルス波形抑圧部１７の詳細については後述する。
【００２０】
音源記憶部１８は、非周期性パルス波形抑圧部１７での処理がなされた後の音源信号を記憶している。
【００２１】
非周期性パルス波形検出部１９は、非周期性パルス波形がビープ音等の聴覚的に違和感の強い復号音声の発生原因となるため、第ｎフレームの損失補償の際に第ｎフレームにおいてピッチ周期で繰り返し用いられることとなる第ｎ−１フレームにおいて非周期性パルス波形区間を検出し、その区間を示す区間情報を出力する。この検出は、音源記憶部１８に記憶された音源信号と、適応符号帳１２から出力されるピッチ情報とを用いて行われる。非周期性パルス波形検出部１９の詳細については後述する。
【００２２】
合成フィルタ２０は、ＬＰＣ復号部１１によって復号された線形予測係数を用い、非周期性パルス波形抑圧部１７からの第ｎ−１フレームの音源信号を駆動音源として合成フィルタによる合成を行う。この合成により得られる信号が、音声復号装置１０における第ｎフレームの復号音声信号となる。なお、この合成により得られる信号に対してポストフィルタリング処理を行ってもよい。この場合、ポストフィルタリング処理後の信号が、音声復号装置１０の出力となる。
【００２３】
次いで、非周期性パルス波形検出部１９の詳細について説明する。図４は、非周期性パルス波形検出部１９の構成を示すブロック図である。
【００２４】
ここで、第ｎ−１フレームの音源信号の自己相関値が大きい場合はその周期性が高く、損失した第ｎフレームも同様に周期性が高い音源信号が存在した区間（例えば、母音の区間）と考えられるため、第ｎフレームのフレーム損失補償には、第ｎ−１フレームの音源信号をピッチ周期に従って繰り返し用いた方が良好な復号音声を得ることができる。一方、第ｎ−１フレームの音源信号の自己相関値が小さい場合はその周期性が低く、第ｎ−１フレームに非周期性パルス波形区間が存在する可能性があるため、第ｎフレームのフレーム損失補償に第ｎ−１フレームの音源信号をピッチ周期に従って繰り返し用いると、ビープ音等、聴覚的に違和感の強い復号音声が発生してしまう。
【００２５】
そこで、非周期性パルス波形検出部１９は、以下のようにして非周期性パルス波形区間を検出する。
【００２６】
自己相関値算出部１９１は、音源記憶部１８からの第ｎ−１フレームの音源信号と、適応符号帳１２からのピッチ情報とから、第ｎ−１フレームの音源信号におけるピッチ周期での自己相関値を、第ｎ−１フレームの音源信号の周期性の度合いを示す値として算出する。つまり、自己相関値が大きいほど周期性が高く、自己相関値が小さいほど周期性が低いことを示す。
【００２７】
自己相関値算出部１９１は、式（１）〜（３）に従って自己相関値を算出する。式（１
）〜（３）において、ｅｘｃ［  ］は第ｎ−１フレームの音源信号、ＰＩＴＭＡＸは音声復号装置１０がとり得るピッチ周期の最大値、Ｔ０はピッチ周期長（ピッチラグ）、ｅｘｃｃｏｒｒは自己相関値候補、ｅｘｃｐｏｗはピッチ周期パワー、ｅｘｃｃｏｒｒｍａｘは自己相関値候補中の最大値（最大自己相関値）、定数τは最大自己相関値の探索範囲を表す。自己相関値算出部１９１は、式（３）により示される最大自己相関値を判定部１９３に出力する。
【数１】
0005142727.tif 000002
【数２】
0005142727.tif 000003
【数３】
0005142727.tif 000004
【００２８】
一方、最大値検出部１９２は、音源記憶部１８からの第ｎ−１フレームの音源信号と、適応符号帳１２からのピッチ情報とから、ピッチ周期内の音源振幅の第１最大値を式（４）,（５）に従って検出する。式（４）に示すｅｘｃｍａｘ１は音源振幅の第１最大値である。また、式（５）に示すｅｘｃｍａｘ１ｐｏｓは第１最大値の時のｊの値であり、第ｎ−１フレーム内での第１最大値の時間軸上の位置を表す。
【数４】
0005142727.tif 000005
【数５】
0005142727.tif 000006
【００２９】
また、最大値検出部１９２は、ピッチ周期内で第１最大値の次に大きい音源振幅の第２最大値を検出する。最大値検出部１９２は、第１最大値を検出対象から除外した上で、第１最大値同様、式（４）,（５）に従った検出を行えば、音源振幅の第２最大値（ｅｘｃｍａｘ２）および第ｎ−１フレーム内での第２最大値の時間軸上の位置（ｅｘｃｍａｘ２ｐｏｓ）を検出することができる。なお、第２最大値を検出する際には、その検出精度を高めるために、第１最大値の周辺（例えば、第１最大値の前後２サンプル）も検出対象から除外するとさらによい。
【００３０】
そして、最大値検出部１９２での検出結果が判定部１９３に出力される。
【００３１】
判定部１９３は、まず、自己相関値算出部１９１で得られた最大自己相関値が閾値ε以上か否か判定する。つまり、判定部１９３は、第ｎ−１フレームの音源信号の周期性の度合いが閾値以上か否か判定する。
【００３２】
そして、判定部１９３は、最大自己相関値が閾値ε以上であれば、第ｎ−１フレームには非周期性パルス波形区間が存在しないと判定し、以降の処理を中止する。一方、最大自己相関値が閾値ε未満であれば、第ｎ−１フレームに非周期性パルス波形区間が存在する
可能性があるため、判定部１９３は、以降の処理を継続して行う。
【００３３】
すなわち、判定部１９３は、最大自己相関値が閾値ε未満であれば、さらに、音源振幅の第１最大値と第２最大値との差（第１最大値−第２最大値）または比（第１最大値／第２最大値）が閾値η以上か否か判定する。非周期性パルス波形区間では音源信号の振幅が局所的に大きくなっていると考えられるため、判定部１９３は、その差または比が閾値η以上であれば、その第１最大値の位置が含まれる区間を非周期性パルス波形区間Λとして検出し、区間情報を非周期性パルス波形抑圧部１７に出力する。ここでは、第１最大値の位置を中心にした対象な区間（第１最大値の位置を中心に両側各々０〜３サンプル程度が適当）を非周期性パルス波形区間Λとする。なお、非周期性パルス波形区間Λを必ずしも第１最大値の位置を中心にした対象な区間とする必要はなく、例えば、第１最大値に後続するサンプルをより多く含めて非対称な区間としてもよい。また、第１最大値を中心として音源振幅が連続して閾値以上である区間を非周期性パルス波形区間Λとし、非周期性パルス波形区間Λを可変としてもよい。
【００３４】
次いで、非周期性パルス波形抑圧部１７の詳細について説明する。図５は、非周期性パルス波形抑圧部１７の構成を示すブロック図である。非周期性パルス波形抑圧部１７は、以下のようにして、第ｎ−１フレーム中の非周期性パルス波形区間においてのみ非周期性パルス波形を抑圧する。
【００３５】
図５において、パワー算出部１７１は、第ｎ−１フレームの音源信号の１サンプルあたりの平均パワーＰａｖｇを式（６）に従って算出し、調整係数算出部１７４に出力する。このとき、パワー算出部１７１は、非周期性パルス波形検出部１９からの区間情報に従って、第ｎ−１フレーム中、非周期性パルス波形区間にある音源信号を除外して平均パワーを算出する。式（６）において、ｅｘｃａｖｇ［  ］はｅｘｃ［  ］における非周期性パルス波形区間内の振幅をすべて０にしたものである。
【数６】
0005142727.tif 000007
【００３６】
雑音信号生成部１７２は、ランダム雑音信号を生成して、パワー算出部１７３および乗算部１７５に出力する。生成したランダム雑音信号にピーク波形が含まれるのは好ましくないため、雑音信号生成部１７２は、ランダムな範囲を制限してもよく、また、生成後のランダム雑音信号に対してクリッピング処理等を施してもよい。
【００３７】
パワー算出部１７３は、ランダム雑音信号の１サンプルあたりの平均パワーＲａｖｇを式（７）に従って算出し、調整係数算出部１７４に出力する。式（７）において、ｒａｎｄはランダム雑音信号系列を表し、フレーム単位（またはサブフレーム単位）で更新される。
【数７】
0005142727.tif 000008
【００３８】
調整係数算出部１７４は、ランダム雑音信号の振幅を調整するための係数（振幅調整係
数）βを式（８）に従って算出し、乗算部１７５に出力する。
【数８】
0005142727.tif 000009
【００３９】
乗算部１７５は、式（９）に示すように、ランダム雑音信号に振幅調整係数βを乗算する。この乗算により、ランダム雑音信号の振幅が、第ｎ−１フレーム中の非周期性パルス波形区間以外の音源信号の振幅と同等に調整される。乗算部１７５は、振幅調整後のランダム雑音信号ａｆｔｒａｎｄを置換部１７６に出力する。
【数９】
0005142727.tif 000010
【００４０】
置換部１７６は、非周期性パルス波形検出部１９からの区間情報に従って、図６に示すように、第ｎ−１フレーム中の音源信号のうち、非周期性パルス波形区間にある音源信号のみを振幅調整後のランダム雑音信号に置き換えて出力する。置換部１７６は、第ｎ−１フレーム中の非周期性パルス波形区間以外の音源信号はそのまま出力する。この置換部１７６の動作を式によって示すと式（１０）のようになる。式（１０）において、ａｆｔｅｘｃが置換部１７６から出力される音源信号となる。また、図７に、式（１０）で表される置換部１７６の動作を図示する。
【数１０】
0005142727.tif 000011
【００４１】
このように、本実施の形態では、第ｎ−１フレーム中で非周期性パルス波形区間にある音源信号のみを振幅調整後のランダム雑音信号に置き換えるため、第ｎ−１フレームの音源信号の特性をほぼ維持したまま、非周期性パルス波形のみを抑圧することができる。よって、本実施の形態によれば、第ｎ−１フレームを用いて第ｎフレームのフレーム損失補償を行う場合に、フレーム損失補償に非周期性パルス波形が繰り返し用いられることで発生するビープ音等の聴覚的に違和感の強い復号音声の発生を抑えつつ、第ｎ−１フレームと第ｎフレームとの間で復号音声のパワーの連続性を保つことができ、音質の変化や音切れ感が少ない復号音声を得ることができる。また、本実施の形態では、第ｎ−１フレーム全体をランダム雑音信号で置き換えることはせず、第ｎ−１フレーム中で非周期性パルス波形区間においてのみ音源信号をランダム雑音信号に置き換える。よって、本実施の形態によれば、第ｎ−１フレームを用いて第ｎフレームのフレーム損失補償を行う場合に、聴覚的に自然で、かつ、ノイズが目立たない復号音声を得ることができる。
【００４２】
なお、第ｎ−１フレームの音源信号に代えて、第ｎ−１フレームの復号音声を用いて非周期性パルス波形区間を検出することも可能である。
【００４３】
また、連続して損失したフレームの数が多くなるほど閾値εおよびηを小さくして、非周期性パルス波形が検出されやすくするようにしてもよい。また、連続して損失したフレームの数が多くなるほど非周期性パルス波形区間の長さを長くして、データ損失時間が長くなるほど音源信号をより白色化させるようにしてもよい。
【００４４】
また、置換に用いる信号として、ランダム雑音信号の他、第ｎ−１フレームの非周期性パルス波形区間以外での周波数特性を持つように生成された信号等の有色雑音、第ｎ−１フレームの無音区間における定常な区間の音源信号、ガウス雑音等を用いてもよい。
【００４５】
また、上記説明では、第ｎ−１フレームの非周期性パルス波形をランダム雑音信号に置換した上で、損失した第ｎフレームの復号の際に、第ｎ−１フレームの音源信号をピッチ周期で繰り返し用いる構成について説明したが、非周期性パルス波形区間以外からランダムに音源信号を取り出して使用する構成としてもよい。
【００４６】
また、平均振幅や平滑化した信号パワーから振幅の上限閾値を算出し、その上限閾値を越える区間またはその周辺区間にある音源信号をランダム雑音信号により置換してもよい。
【００４７】
また、音声符号化装置において、非周期性パルス波形区間を検出し、その区間情報を音声復号装置に伝送してもよい。このようにすることで、音声復号装置では、より正確な非周期性パルス波形区間を得ることができ、フレーム損失補償の性能をさらに高めることができる。
【００４８】
（実施の形態２）
本実施の形態に係る音声復号装置は、第ｎ−１フレームの非周期性パルス波形区間以外の音源信号に対し位相をランダムにする処理（位相ランダマイズ）を施すものである。
【００４９】
本実施の形態に係る音声復号装置では、非周期性パルス波形抑圧部１７の動作のみが実施の形態１と相違するため、その相違点についてのみ、以下説明する。
【００５０】
非周期性パルス波形抑圧部１７は、まず、第ｎ−１フレームにおいて非周期性パルス波形区間以外の音源信号に対して周波数領域への変換を行う。
【００５１】
ここで非周期性パルス波形区間にある音源信号を除外するのは、以下の理由による。すなわち、非周期性パルス波形は破裂性子音のように高域に偏った周波数特性を示し、その周波数特性は非周期性パルス波形区間以外での周波数特性とは異なると考えられるため、非周期性パルス波形区間以外の音源信号を用いてフレーム損失補償を行った方がより聴覚的に自然な復号音声を得ることができるからである。
【００５２】
次いで、フレーム損失補償に非周期性パルス波形を繰り返し用いることを防ぐため、非周期性パルス波形抑圧部１７は、周波数領域に変換後の音源信号に対し位相ランダマイズを行う。
【００５３】
次いで、非周期性パルス波形抑圧部１７は、位相ランダマイズ後の音源信号を時間領域に逆変換する。
【００５４】
そして、非周期性パルス波形抑圧部１７は、逆変換後の音源信号の振幅を第ｎ−１フレーム中の非周期性パルス波形区間以外の音源信号の振幅と同等に調整する。
【００５５】
このようにして得られた第ｎ−１フレームの音源信号は、実施の形態１同様、第ｎ−１フレームの音源信号の特性をほぼ維持したまま、非周期性パルス波形のみが抑圧された信号となる。よって、本実施の形態によれば、実施の形態１同様、第ｎ−１フレームを用いて第ｎフレームのフレーム損失補償を行う場合に、フレーム損失補償に非周期性パルス波形が繰り返し用いられることで発生するビープ音等の聴覚的に違和感の強い復号音声の発生を抑えつつ、第ｎ−１フレームと第ｎフレームとの間で復号音声のパワーの連続性を保
つことができ、音質の変化や音切れ感が少ない復号音声を得ることができる。
【００５６】
このように、本実施の形態によっても、第ｎ−１フレームを用いて第ｎフレームのフレーム損失補償を行う場合に、聴覚的に自然で、かつ、ノイズが目立たない復号音声を得ることができる。
【００５７】
なお、第ｎ−１フレームの音源信号の極性は維持したまま、振幅だけをランダムにする方法でも、第ｎ−１フレームの音源信号の周波数的特徴を第ｎフレームに反映させることができる。
【００５８】
以上、本発明の実施の形態について説明した。
【００５９】
なお、非周期性パルス波形の抑圧方法として、非周期性パルス波形区間にある音源信号をそれ以外の区間にある音源信号よりも強く抑圧する方法を用いることもできる。
【００６０】
また、伝送単位として１フレームまたは複数フレームで構成されるパケットが用いられるネットワーク（例えば、ＩＰネットワーク等）に本発明を適用する場合には、上記各実施の形態における「フレーム」を「パケット」と読み替えればよい。
【００６１】
また、上記説明では第ｎ−１フレームを用いて第ｎフレームの損失を補償する場合を例にとって説明したが、第ｎフレームより前に受信されたフレームを用いて第ｎフレームの損失を補償する音声復号のすべてにおいて上記同様にして本発明を実施することができる。
【００６２】
また、上記各実施の形態に係る音声復号装置を、移動体通信システムにおいて使用される無線通信移動局装置や無線通信基地局装置等の無線通信装置に搭載することにより、上記同様の作用、効果を有する無線通信移動局装置、無線通信基地局装置、および移動体通信システムを提供することができる。
【００６３】
また、上記説明では、本発明をハードウェアで構成する場合を例にとって説明したが、本発明をソフトウェアで実現することも可能である。例えば、本発明に係る音声復号方法のアルゴリズムをプログラミング言語によって記述し、このプログラムをメモリに記憶しておいて情報処理手段によって実行させることにより、本発明に係る音声復号装置と同様の機能を実現することができる。
【００６４】
また、上記各実施の形態の説明に用いた各機能ブロックは、典型的には集積回路であるＬＳＩとして実現される。これらは個別に１チップ化されても良いし、一部または全てを含むように１チップ化されても良い。
【００６５】
また、ここではＬＳＩとしたが、集積度の違いによって、ＩＣ、システムＬＳＩ、スーパーＬＳＩ、ウルトラＬＳＩ等と呼称されることもある。
【００６６】
また、集積回路化の手法はＬＳＩに限るものではなく、専用回路または汎用プロセッサで実現しても良い。ＬＳＩ製造後に、プログラム化することが可能なＦＰＧＡ（Field Programmable Gate Array）や、ＬＳＩ内部の回路セルの接続もしくは設定を再構成可能なリコンフィギュラブル・プロセッサを利用しても良い。
【００６７】
さらに、半導体技術の進歩または派生する別技術により、ＬＳＩに置き換わる集積回路化の技術が登場すれば、当然、その技術を用いて機能ブロックの集積化を行っても良い。バイオ技術への適用等が可能性としてあり得る。
【００６８】
２００５年１２月２７日出願の特願２００５−３７５４０１の日本出願に含まれる明細書、図面および要約書の開示内容は、すべて本願に援用される。
【産業上の利用可能性】
【００６９】
本発明に係る音声復号装置および音声復号方法は、移動体通信システムにおける無線通信移動局装置や無線通信基地局装置等の用途に適用することができる。
【図面の簡単な説明】
【００７０】
【図１】従来の音声復号装置の動作説明図
【図２】従来の音声復号装置の動作説明図
【図３】実施の形態１に係る音声復号装置の構成を示すブロック図
【図４】実施の形態１に係る非周期性パルス波形検出部の構成を示すブロック図
【図５】実施の形態１に係る非周期性パルス波形抑圧部の構成を示すブロック図
【図６】実施の形態１に係る音声復号装置の動作説明図
【図７】実施の形態１に係る置換部の動作説明図
【図１】
0005142727.tif 000012
【図２】
0005142727.tif 000013
【図３】
0005142727.tif 000014
【図４】
0005142727.tif 000015
【図５】
0005142727.tif 000016
【図６】
0005142727.tif 000017
【図７】
0005142727.tif 000018